(57)【特許請求の範囲】
【請求項１】
少なくとも前後に対向する第一針床と第二針床を備える横編機を用いて、針床の長さ方向に、一側ベース部、第一編目列、第二編目列、他側ベース部の順に並んだ状態から、前記第一編目列の位置と前記第二編目列の位置とを入れ替えることで、編地に縄柄を形成する縄柄の編成方法において、
前記第一針床における前記第一編目列と第二編目列が並ぶ領域を交差領域としたとき、
前記第二編目列を前記第二針床に預けた状態で、前記第一編目列を前記交差領域における前記他側ベース部の側に移動させ、前記第二編目列を編成することなく、前記一側ベース部と前記第一編目列と前記他側ベース部を編成することを、少なくとも１回以上行う工程αと、
前記第一編目列を構成する複数の編目を、前記一側ベース部寄りの一側グループと前記他側ベース部寄りの他側グループとに分け、前記交差領域における前記他側ベース部側の端部まで前記他側グループを移動させると共に、前記一側グループの少なくとも一部の編目を前記他側ベース部の側に移動させ、前記他側グループと前記一側グループとの間、および前記一側グループの編幅内に空針を形成する工程βと、
前記第二編目列の各編目を前記交差領域の空針に振り分け、前記第一編目列を編成することなく、前記一側ベース部と前記第二編目列と前記他側ベース部を編成する工程γと、
前記第一編目列の編目と前記第二編目列の編目が混在する混在領域にある前記第一編目列の編目を前記他側ベース部の側に移動させると共に、前記混在領域にある前記第二編目列の編目を前記一側ベース部の側に移動させ、前記第一編目列を編成することなく、前記一側ベース部と前記第二編目列と前記他側ベース部とを編成することを、前記第一編目列の編目と前記第二編目列の編目の混在が解消されるまで繰り返す工程δと、
を行う縄柄の編成方法。
【請求項２】
前記工程αを行う前に、前記第一編目列を編成することなく、前記一側ベース部と前記第二編目列と前記他側ベース部とを編成し、前記第一編目列と前記第二編目列との繋がりを断つ工程εを行う請求項１に記載の縄柄の編成方法。
【請求項３】
前記工程γにおいて前記第二編目列を前記一側ベース部の側に移動させる際、前記第二編目列のうちの前記他側ベース部寄りの端部編目の移動距離が２針以上４針以下となるように、前記工程βのグループ分けを行う請求項１または請求項２に記載の縄柄の編成方法。
【請求項４】
ユーザーが編地の編成に係る編成情報を入力する入力部と、前記編成情報に基づいて、前後に対向する第一針床と第二針床を備える横編機に備わるコンピュータで読み取り可能な編成プログラムを作成する編成プログラム作成部と、を備える編地のデザインシステムにおいて、
前記編成情報のうち、縄柄の編成に関連する縄柄関連情報に基づいて、請求項１〜請求項３のいずれか１項に記載の縄柄の編成方法を実施するための編成条件を決定する編成条件決定部を備え、
前記編成プログラム作成部は、前記編成条件決定部が決定した編成条件に基づく前記縄柄の編成方法を横編機に実行させるために前記コンピュータに前記横編機を制御させる編成プログラムを作成する編地のデザインシステム。
【請求項５】
前後に対向する第一針床と第二針床を備える横編機に備わるコンピュータで読み取り可能な編成プログラムを記憶した記憶媒体において、
前記編成プログラムは、請求項１〜請求項３のいずれか１項に記載の縄柄の編成方法を前記横編機に実行させるように前記コンピュータに前記横編機を制御させる編成プログラムである記憶媒体。
【発明の詳細な説明】
【技術分野】
【０００１】
本発明は、縄柄の編成方法、縄柄を編成するための編成プログラムを作成する編地のデザインシステム、および縄柄を編成するための編成プログラムを記憶した記憶媒体に関する。
【背景技術】
【０００２】
横編機を用いて、ベース編地部の編幅内に縄柄を編成する縄柄の編成方法が知られている。縄柄は、ベース編地部の編幅内に並ぶ第一編目列の位置と第二編目列の位置とを入れ替えることで編成される組織柄である。例えば特許文献１では、筒状編地の側端において、筒状編地の前側と後側とに跨る縄柄を編成する縄柄の編成方法が開示されている。
【０００３】
また、横編機における針床の長さ方向に、一側ベース部（ベース編地部の一部）、第一編目列、第二編目列、他側ベース部（ベース編地部の一部）の順に並んだ状態から、第一編目列の位置と第二編目列の位置とを入れ替える際に、ラッキングと目移しを利用して、第一編目列の位置と第二編目列の位置とを一気に入れ替える縄柄の編成方法や、両編目列を複数の群に分割し、各郡を徐々に移動させることで第一編目列の位置と第二編目列の位置を段階的に入れ替える縄柄の編成方法が知られている。
【先行技術文献】
【特許文献】
【０００４】
【特許文献１】特許第３８８７４１０号公報
【発明の概要】
【発明が解決しようとする課題】
【０００５】
しかし、従来の縄柄の編成方法では、縄柄を構成する第一編目列と第二編目列の編目の数や、縄柄以外のベース編地部の組織によっては適用することができない場合がある。例えば、各編目列の編目数が４つ以上の場合、第一編目列と第二編目列とを一度に入れ替える縄柄の編成方法では、糸切れの恐れがある。また、ベース編地部に組織柄を形成する場合、ラッキングの違いなどにより縄柄の編成とベース編地部の組織柄の編成を同時に行うことができないことがある。このように、従来の縄柄の編成方法にはそれぞれ一長一短があり、編地をデザインするユーザーが、必要に応じて最適な縄柄の編成方法を選択する必要があった。このようなユーザーの負担を軽減するために、ベース編地部の組織柄や交差させる編目列の編目数に制限されることなく汎用的に用いることができる縄柄の編成方法が求められている。
【０００６】
本発明は上記事情に鑑みてなされたものであって、その目的の一つは、汎用性に優れる縄柄の編成方法を提供することにある。また、本発明の別の目的は、上記汎用性に優れる縄柄の編成方法を横編機に実行させる編成プログラムを作成する編地のデザインシステム、およびその編成プログラムを記憶した記憶媒体を提供することにある。
【課題を解決するための手段】
【０００７】
本発明は、少なくとも前後に対向する第一針床と第二針床を備える横編機を用いて、針床の長さ方向に、一側ベース部、第一編目列、第二編目列、他側ベース部の順に並んだ状態から、前記第一編目列の位置と前記第二編目列の位置とを入れ替えることで、編地に縄柄を形成する縄柄の編成方法に係る。この本発明の縄柄の編成方法では、前記第一針床における前記第一編目列と第二編目列が並ぶ領域を交差領域としたとき、以下の工程α〜工程δを行う。
［工程α］…前記第二編目列を前記第二針床に預けた状態で、前記第一編目列を前記交差領域における前記他側ベース部の側に移動させ、前記第二編目列を編成することなく、前記一側ベース部と前記第一編目列と前記他側ベース部を編成することを、少なくとも１回以上行う。
［工程β］…前記第一編目列を構成する複数の編目を、前記一側ベース部寄りの一側グループと前記他側ベース部寄りの他側グループとに分け、前記交差領域における前記他側ベース部側の端部まで前記他側グループを移動させると共に、前記一側グループの少なくとも一部の編目を前記他側ベース部の側に移動させ、前記他側グループと前記一側グループとの間、および前記一側グループの編幅内に空針を形成する。
［工程γ］…前記第二編目列の各編目を前記交差領域の空針に振り分け、前記第一編目列を編成することなく、前記一側ベース部と前記第二編目列と前記他側ベース部を編成する。
［工程δ］…前記第一編目列の編目と前記第二編目列の編目が混在する混在領域にある前記第一編目列の編目を前記他側ベース部の側に移動させると共に、前記混在領域にある前記第二編目列の編目を前記一側ベース部の側に移動させ、前記第一編目列を編成することなく、前記一側ベース部と前記第二編目列と前記他側ベース部とを編成することを、前記第一編目列の編目と前記第二編目列の編目の混在が解消されるまで繰り返す。なお、混在領域とは、第一編目列と第二編目列とが針床の長さ方向にオーバーラップする領域のことであって、第二編目列の他側ベース部寄りの端部から第一編目列の一側ベース部寄りの端部までの領域のことである（後述する図２のＳ７，Ｓ９参照）。
【０００８】
本発明の縄柄の編成方法として、前記工程αを行う前に、前記第一編目列を編成することなく、前記一側ベース部と前記第二編目列と前記他側ベース部とを編成し、前記第一編目列と前記第二編目列との繋がりを断つ工程εを行う形態を挙げることができる。
【０００９】
本発明の縄柄の編成方法として、前記工程γにおいて前記第二編目列を前記一側ベース部の側に移動させる際、前記第二編目列のうちの前記他側ベース部寄りの端部編目の移動距離が２針以上４針以下となるように、前記工程βのグループ分けを行う形態を挙げることができる。この構成は、総針編成の場合、前記工程βの前記他側グループの編目数が２〜４個であることと同義である。
【００１０】
本発明は、ユーザーが編地の編成に係る編成情報を入力する入力部と、前記編成情報に基づいて、前後に対向する第一針床と第二針床を備える横編機に備わるコンピュータで読み取り可能な編成プログラムを作成する編成プログラム作成部と、を備える編地のデザインシステムに係る。この本発明の編地のデザインシステムは、前記編成情報のうち、縄柄の編成に関連する縄柄関連情報に基づいて、本発明の縄柄の編成方法を実施するための編成条件を決定する編成条件決定部を備える。そして、本発明の編地のデザインシステムに備わる前記編成プログラム作成部は、前記編成条件決定部が決定した編成条件に基づく前記縄柄の編成方法を横編機に実行させるために前記コンピュータに前記横編機を制御させる編成プログラムを作成する。
【００１１】
本発明は、前後に対向する第一針床と第二針床を備える横編機に備わるコンピュータで読み取り可能な編成プログラムを記憶した記憶媒体に係る。この本発明の記憶媒体に記憶される編成プログラムは、本発明の縄柄の編成方法を前記横編機に実行させるように前記コンピュータに前記横編機を制御させる編成プログラムである。
【発明の効果】
【００１２】
本発明の縄柄の編成方法によれば、第一編目列の位置と第二編目列の位置を入れ換える際に糸切れが生じ難い。これは、第一編目列の編目を移動させるときにも第二編目列の編目を移動させるときにも、糸切れが生じない範囲で編目を徐々に移動させているからである。その詳細は実施形態で述べる。
【００１３】
また、本発明の縄柄の編成方法は、ベース編地部の組織柄によらず汎用的に利用することができる。縄柄の編成が終了するまでの間、第一編目列の編成と第二編目列の編成が第一針床の交差領域内のみで行われるため、第一針床に対して第二針床をラッキングした状態でしか編成できない組織柄をベース編地部に形成する場合でも、第二針床のラッキング状態に関係なく縄柄を構成する編目を第一針床で編成できるからである。
【００１４】
さらに工程εを行う本発明の縄柄の編成方法によれば、第一編目列と第二編目列との繋がり、および第一編目列と一側ベース部との繋がりを断つことができるので、第一編目列を移動させる際の糸切れを抑制することができる。
【００１５】
第二編目列のうちの他側ベース部寄りの端部編目の移動距離が２針以上４針以下であれば、工程γで第二編目列の編目の振り分けを行う際、第二編目列と他側ベース部との間を繋ぐ渡り糸の糸切れを抑制することができる。
【００１６】
本発明の編地のデザインシステムによれば、ベース編地部の組織柄に制約されない縄柄を編地に編成することができる編成プログラムを作成することができる。ユーザーは、後述する実施形態に示すように、編地のデザインシステム上で縄柄を編成する位置を指定するだけで良く、そのユーザーの指定に基づいて編地のデザインシステムは自動で編成プログラムを作成する。
【００１７】
本発明の記憶媒体に記憶された編成プログラムを用いて横編機で編地を編成することで、ベース編地部の組織柄に制約されない縄柄を編地に編成することができる。
【図面の簡単な説明】
【００１８】
【図１】実施形態に示す縄柄の編成工程の前半部分を示す編成工程図である。
【図２】実施形態に示す縄柄の編成工程の後半部分を示す編成工程図である。
【図３】実施形態に示す編地のデザインシステムの機能ブロック図である。
【発明を実施するための形態】
【００１９】
左右方向に延び、かつ、前後方向に互いに対向する前針床（以下、ＦＢ）と後針床（以下、ＢＢ）、および編糸を給糸する給糸口を備え、ＢＢが左右にラッキング可能で、かつ編目の目移しを行うことができる２枚ベッド横編機を用いた編成例を説明する。もちろん、使用する横編機は、２枚ベッド横編機に限定されるわけではなく、例えば４枚ベッド横編機であっても構わない。
【００２０】
＜縄柄の編成方法＞
この実施形態では、縄柄の編成方法の一例として、編地における左右の位置を入れ替える第一編目列と第二編目列が共に６つの編目からなる縄柄（６×６の縄柄）を編成する例を図１，図２に基づいて説明する。なお、各編目列の編目の数は特に限定されず、例えば４×４〜１２×１２の縄柄とすることもできる。第一編目列の編目数と第二編目列の編目数とが異なっていても構わない（例えば、４×６の縄柄）。また、筒状編地に本例の縄柄の編成方法を適用することもできる。
【００２１】
図１，２の左欄の「アルファベット＋数字」は編成工程の番号を示し、右欄には針床における編成状態が示されている。図中の大文字アルファベットは編針の位置を、矢印は目移しの方向を、三角印は給糸口８を示す。また、縄柄以外のベース編地部である一側ベース部ｂ１と他側ベース部ｂ２の編目は丸印、第一編目列１の編目はダイヤ印、第二編目列２の編目は五角印で示す。各工程で実際に行なわれる操作は太線・塗り潰しで示す。図１，２ではＢＢのラッキング動作は省略する。
【００２２】
Ｓ０には、給糸口８を紙面右方向に移動させ、ＦＢとＢＢの長さ方向に並ぶ一側ベース部ｂ１、第一編目列１、第二編目列２、および他側ベース部ｂ２を編成した状態が示されている（両ベース部ｂ１，ｂ２も、複数の編目からなる編目列である）。一側ベース部ｂ１は、ＢＢの編針Ｑ，ＲおよびＦＢの編針Ｓ，Ｔに係止されている。第一編目列１は、ＦＢの編針Ｋ〜Ｐに係止され、第二編目列２は、ＦＢの編針Ｅ〜Ｊに係止されている。他側ベース部ｂ２は、ＦＢの編針Ａ，ＢおよびＢＢの編針Ｃ，Ｄに係止されている。
【００２３】
ここで、両ベース部ｂ１，ｂ２における縄柄の形成領域側の編目をＢＢで編成し、裏目としているのは、縄柄をベース編地部から浮き上がらせるためである。また、この裏目の形成によって、各ベース部ｂ１，ｂ２と、縄柄を構成する編目列１，２と、を繋ぐ渡り糸が長くなり、縄柄を構成する編目列１，２を移動させる際の渡り糸の糸切れが抑制される。
【００２４】
Ｓ０に示す状態から、編針Ｅ〜Ｐにある第一編目列１の位置と第二編目列２の位置とを入れ替えることで、一側ベース部ｂ１と他側ベース部ｂ２とで構成されるベース編地部の編幅内に縄柄を形成する。縄柄の形成の際、第一編目列１が第二編目列２の表側になるように両編目列１，２を交差させる。
【００２５】
ここで、以下に示す編成工程では、第一編目列１の編成と第二編目列２の編成は、ＦＢにおける第一編目列１と第二編目列２が並ぶ領域内（即ちＦＢの編針Ｅ〜Ｐの領域内）のみで行われる。この領域を交差領域と呼び、図面上では破線で囲んで示す。
【００２６】
Ｓ１では、給糸口８を左方向に移動させ、第一編目列１を編成することなく、一側ベース部ｂ１と第二編目列２と他側ベース部ｂ２とを編成する（工程ε相当）。このＳ１によって、第一編目列１と第二編目列２との繋がり、および第一編目列１と一側ベース部ｂ１との繋がりが断たれ、以後の工程で第一編目列１を移動させる際の糸切れを防止することができる。また、このＳ１には、後工程で第二編目列２を移動させる際の糸切れを防止する効果もある。
【００２７】
Ｓ２では、ＦＢの編針Ｋ〜Ｐに係止される第一編目列１をＢＢの編針Ｋ〜Ｐに移動させると共に、ＦＢの編針Ｅ〜Ｊに係止される第二編目列２をＢＢの編針Ｅ〜Ｊに移動させる。このＳ２は、第一編目列１の位置と第二編目列２の位置とを入れ替える準備である。
【００２８】
図２に示す次のＳ３〜Ｓ５では、第一編目列１を他側ベースｂ２の側に１針分移動させ、第二編目列２以外の編目列ｂ１，１，ｂ２を編成することを、３回繰り返す（工程αに相当）。第一編目列１の移動と編成は、第一編目列１の他側ベース部ｂ２寄りの端部編目（Ｓ３においてはＦＢの編針Ｊの編目）が、第一編目列の最終的な移動位置（ＦＢの編針Ｅの位置）から２針〜４針分離れた位置（ＦＢの編針Ｇ〜Ｉの位置）に移動するまで繰り返すと良い。また、第一編目列１の１回の移動距離は、上記例のように１針分に限定されるわけではなく、第一編目列１と一側ベース部ｂ１とを繋ぐ編糸が切れない程度とすれば良い。例えば、編成に使用する編糸が通常の編糸（非弾性編糸）の場合、第一編目列１の移動距離は２針分〜３針分程度とすることもできる。但し、編成に使用する編糸が弾性編糸の場合、第一編目列１の移動距離は４針分以上とすることもできる。
【００２９】
工程αの一部であるＳ３では、第二編目列２をＢＢに預けたままの状態で、ラッキングと目移しを用いてＢＢの編針Ｋ〜Ｐに係止される第一編目列１をＦＢの編針Ｊ〜Ｏに移動させる。つまり、図１のＳ１の状態から第一編目列１を他側ベース部ｂ２の側に１針分移動させる。さらに、Ｓ３では、給糸口８を右方向に移動させ、第二編目列２を編成することなく、一側ベース部ｂ１と第一編目列１と他側ベース部ｂ２とを連続して編成する。この移動と編成によって、第一編目列１と一側ベース部ｂ１とを繋ぐ渡り糸３が長くなり、次のＳ４を行い易くなる。
【００３０】
ここで、Ｓ３の後に、第一編目列１を移動させずに、編目列ｂ１，１，ｂ２を少なくとも１コース分編成しても構わない。第一編目列１のコース数（ウエール方向の段数）が、後述する第二編目列２のコース数よりも多い方が、縄柄の形が整い易い。
【００３１】
Ｓ４，Ｓ５では、上記Ｓ３と同様に、第一編目列１を他側ベース部ｂ２の側に１針分移動させると共に、第二編目列２を編成することなく、一側ベース部ｂ１と第一編目列１と他側ベース部ｂ２とを編成する。
【００３２】
Ｓ６では、Ｓ５における第一編目列１を、一側ベース部ｂ１寄りの一側グループｇ１と他側ベース部ｂ２寄りの他側グループｇ２とに分け、各グループｇ１，ｇ２をＦＢの他側ベース部ｂ２寄りの編針に移動させる（工程βに相当）。その際、他側グループｇ２は、交差領域の左端まで移動させ、一側グループｇ１を構成する編目は、他側グループｇ２よりも一側ベース部ｂ１寄りの編針に振り分ける。一側グループｇ１を振り分ける際は、他側グループｇ２と一側グループｇ１との間、および一側グループｇ１の編幅内に空針が形成されるようにする（前者については、ＦＢの編針Ｈ、後者についてはＦＢの編針Ｊ，Ｌを参照）。
【００３３】
ここで、各グループｇ１，ｇ２に幾つの編目を割り当てるかは、次のＳ７で第二編目列２を移動させる際に第二編目列２と他側ベース部ｂ２とを繋ぐ渡り糸３が切れない範囲で決定する。具体的には第一編目列１を構成する編目のうち、他側ベース部ｂ２寄りの１〜３個程度の編目を他側グループｇ２とし、残りの編目を一側グループｇ１とする。例えば、第一編目列１が１２個の編目で構成されていたとしても、他側グループｇ２を２〜４個程度の編目、一側グループｇ１を１０〜８個程度の編目とする。但し、編地を弾性編糸で編成する場合、他側グループｇ２の編目数を４つ以上とすることも可能である。
【００３４】
上記Ｓ６の編目の移動を行うには、ＢＢを左方向にラッキングして第一編目列１に対向する位置にＢＢの空針が配置されるようにする。次いで、Ｓ５におけるＦＢの編針Ｈ〜Ｍに係止される第一編目列１の編目をＢＢに預ける。そして、ＢＢを左方向にラッキングしながらＢＢに預けた編目を順次ＦＢに戻すと良い。
【００３５】
Ｓ７では、第二編目列２を構成する各編目を、破線で囲まれるＦＢの交差領域の空針に移動させ、第一編目列１以外の編目列ｂ２，２，ｂ１を編成する（工程γに相当）。交差領域の空針は、工程αと工程βを経ることでＦＢに形成される空針であって、本例の場合、ＦＢの編針Ｎ，Ｏ，Ｐの編針が工程αで形成された空針であり、ＦＢの編針Ｈ，Ｊ，Ｌの編針が工程βで形成された空針である。第二編目列２の移動の際は、針床の長さ方向における第二編目列２の編目の並び順が変化しないようにする。本例では、ＢＢに係止される第二編目列２の編目のうち、ＢＢの編針Ｅの編目、編針Ｆの編目、および編針Ｇの編目をそれぞれ、ＦＢの編針Ｈ、編針Ｊ、および編針Ｌに移動させると共に、ＢＢの編針Ｈ，Ｉ，Ｊの編目をそれぞれ、ＦＢの編針Ｎ，Ｏ，Ｐに移動させる。
【００３６】
ここで、第二編目列２のうち、他側ベース部ｂ２寄りの端部編目は、ＢＢの編針ＥからＦＢの編針Ｈ（一側グループｇ１と他側グループｇ２との間の空針）まで、針床の長さ方向に３針分移動している。３針分程度の移動であれば、第二編目列２と他側ベース部ｂ２とを繋ぐ渡り糸３が切れる可能性は低い。また、第二編目列２の編目のうち、一側ベース部ｂ１寄りの端部編目は、ＢＢの編針ＪからＦＢの編針Ｐまで、針床の長さ方向に６針分移動している。この端部編目は、図１のＳ１に示すように、一側ベース部ｂ１に繋がっており、端部編目と一側ベース部ｂ１とを繋ぐ渡り糸は非常に長くなっている。端部編目の移動方向は、端部編目と一側ベース部ｂ１との距離を縮める方向であるため、糸切れの心配はない。
【００３７】
次のＳ８〜Ｓ１１では、第一編目列１の編目と第二編目列２の編目とが混在する混在領域にある第一編目列１の編目と第二編目列２の編目とをそれぞれ、他側ベース部ｂ２の側と一側ベース部ｂ１の側に移動させ、第二編目列２を編成することを、両編目列１，２の編目の混在が解消されるまで繰り返す（工程δに相当）。第二編目列２の編成の際は、第一編目列１以外の編目列ｂ１，２，ｂ２を編成する。
【００３８】
工程δの一部であるＳ８では、Ｓ７に示す混在領域４にあるＦＢの編針Ｈ〜Ｍの編目をＢＢの編針Ｈ〜Ｍに移動させる。混在領域４は、Ｓ７終了後における第二編目列２の他側ベース部ｂ２寄りの端部（編針Ｈ参照）から第一編目列１の一側ベース部ｂ１寄りの端部（編針Ｍ参照）までの領域である。
【００３９】
Ｓ９では、ラッキングと目移しを用いて、ＢＢの編針Ｉ，Ｋ，Ｍに係止される第一編目列１の編目をＦＢの編針Ｈ，Ｊ，Ｌに移動させると共に、ＢＢの編針Ｈ，Ｊ，Ｌに係止される第二編目列２の編目をＦＢの編針Ｉ，Ｋ，Ｍに移動させる。さらに、Ｓ９では、給糸口８を右方向に移動させ、第一編目列１を編成することなく、他側ベース部ｂ２、第二編目列２、および一側ベース部ｂ１を連続して編成する。
【００４０】
上記Ｓ８，Ｓ９によって、第一編目列１の編目と第二編目列２の編目の混在が一部解消され、ＦＢの編針Ｉ〜Ｌが新たな混在領域５となる。そこで、Ｓ１０では、混在領域５にあるＦＢの編針Ｉ〜Ｌの編目をＢＢの編針Ｉ〜Ｌに移動させる。
【００４１】
Ｓ１１では、ＢＢの編針Ｊ，Ｌに係止される第一編目列１の編目をＦＢの編針Ｉ，Ｊに移動させると共に、ＢＢの編針Ｉ，Ｋに係止される第二編目列２の編目をＦＢの編針Ｋ，Ｌに移動させる。さらにＳ１１では、給糸口８を左方向に移動させ、第一編目列１を編成することなく、他側ベース部ｂ２、第二編目列２、および一側ベース部ｂ１を編成する。このＳ１０，Ｓ１１によって、両編目列１，２の編目の混在が解消され、第一編目列１の位置と第二編目列２の位置が入れ換えられた状態、即ち第一編目列１が第二編目列２よりも表側に交差した縄柄が形成された状態となる。
【００４２】
以降、さらに縄柄の編成を行うのであれば、図１，２のＳ１〜Ｓ１１を繰り返せば良い。また、紙面左側から順に、一側ベース部ｂ１、第一編目列１、第二編目列２、他側ベース部ｂ２と規定し、Ｓ１〜Ｓ１１と同様の編成を行うこともできる。その場合、図１のＳ０におけるＦＢの編針Ｅ〜Ｊの編目列が編地の表面側に配置される縄柄を形成することができる。
【００４３】
以上説明した編成工程に従えば、第一編目列１の位置と第二編目列２の位置を入れ替える際に糸切れが生じることを回避することができる。これは、渡り糸で繋がった二つの編目のうち、渡り糸が伸びる方向に一方の編目を移動させる際、その移動距離が多くても４針分以下となっているからである。
【００４４】
また、上記編成工程では、縄柄の編成が終了するまでの間、破線で囲まれるＦＢの交差領域内でのみ第一編目列１と第二編目列２が編成されているので、ＦＢに対してＢＢをラッキングした状態でしか編成できない組織柄をベース編地部（ベース部ｂ１，ｂ２）に形成する場合でも、ＢＢのラッキング状態に関係なく、縄柄を構成する編目をＦＢで編成できる。つまり、実施形態に示す縄柄の編成方法は、交差領域外のベース編地部にどのような組織柄を設けたとしても、縄柄を形成することができる汎用性を有している。
【００４５】
さらに、上記編成工程では、表目からなる第一編目列の裏側に隠れる第二編目列も表目となるため、縄柄における第一編目列の部分と第二編目列の部分の組織に統一感があり、縄柄の見栄えが向上する。
【００４６】
＜編成プログラムおよび記憶媒体＞
上記縄柄の編成方法を横編機に行わせる編成プログラムは、下記ステップを横編機に実行させるように、横編機に備わるコンピュータに横編機を制御させるための編成プログラムである。下記ステップが実行されることで、図１のＳ０に示す一側ベース部ｂ１と他側ベース部ｂ２との間に配置される第一編目列１の位置と第二編目列２の位置とを入れ替えさせた縄柄を編地に形成することができる。
【００４７】
ここで、横編機では、針床上を走行するキャリッジに備わるカムが編針に備わるバットに作用し、編針が針床の針溝に沿って進退することで編目が形成される。この横編機には、どの編針にどのような動きをさせるかを決定する選針機構と、キャリッジの走行とカムの出没を制御するキャリッジ制御機構と、針床のラッキングを制御するラッキング制御機構と、が備わっている。編成プログラムは、これらの機構に指令を出して、針床のラッキング位置と個々の編針の動きを制御することで、下記ステップの編成を実現する。
【００４８】
ＦＢにおける第一編目列１と第二編目列２が並ぶ領域を交差領域とし、第二編目列２をＢＢに預けた状態で、第一編目列１を交差領域内の他側ベース部ｂ２の側に移動させ、第二編目列２を編成することなく、一側ベース部ｂ１と第一編目列１と他側ベース部ｂ２を編成することを、少なくとも１回以上行うステップ１。
【００４９】
第一編目列１を構成する複数の編目を、一側ベース部ｂ１寄りの一側グループｇ１と他側ベース部ｂ２寄りの他側グループｇ２とに分け、交差領域の端部まで他側グループｇ２を移動させると共に、一側グループｇ１の一部の編目を他側ベース部ｂ２の側に移動させ、他側グループｇ２と一側グループｇ１との間、および一側グループｇ１の編幅内に空針を形成するステップ２。
【００５０】
第二編目列２の各編目を交差領域の空針に振り分け、第一編目列１を編成することなく、一側ベース部ｂ１と第二編目列２と他側ベース部ｂ２を編成するステップ３。
【００５１】
第一編目列１の編目と第二編目列２の編目が混在する混在領域４，５にある第一編目列１の編目を他側ベース部ｂ２の側に移動させると共に、混在領域４，５にある第二編目列２の編目を一側ベース部ｂ１の側に移動させ、第一編目列１を編成することなく、一側ベース部ｂ１と第二編目列２と他側ベース部ｂ２とを編成することを、第一編目列１の編目と第二編目列２の編目の混在が解消されるまで繰り返すステップ４。
【００５２】
上記編成プログラムを記憶する記憶媒体は、編地のデザインシステムに搭載された形態であり得るし、横編機に搭載された形態であり得るし、編地のデザインシステムで作成された編成プログラムを横編機に移行させるＣＤロムやＵＳＢメモリ、磁気ディスクなどの可搬記憶媒体の形態であり得る。ここで、編地のデザインシステムとは、ユーザーが画面上で編地をデザインすることで、そのユーザーのデザインに基づいて横編機を動作させるための編成プログラムを作成するシステムである（例えば、特許第２９１６９９０号公報を参照）。
【００５３】
＜編地のデザインシステム＞
図３の機能ブロック図に示すように、ユーザーのデザインに基づく上記編成プログラムを作成する編地のデザインシステム１００は、入力部１０と自動処理部２０とメモリ３０と表示部４０とを備える。この編地のデザインシステム１００は、ユーザーが編地の一部に、縄柄を編成する位置（例えば縄柄の編成を開始する位置）や縄柄の幅を指定したときに、自動で上記編成プログラムを作成するように構成されている。以下、各部１０，２０，３０，４０の構成を簡単に説明し、次いでユーザーの入力した情報に基づいて編地のデザインシステム１００が編成プログラムを作成する手順を説明する。
【００５４】
≪入力部≫
入力部１０は、ユーザーがデザインデータを編集する際に用いられるものであって、キーボードやマウス、スキャナ、デジタイザなどの形態で構成される。ユーザーが入力する情報としては、どのような形状・大きさの編地を編成するかについての情報（型紙の情報）や、編糸の種類に関する情報、編地を構成する編成単位の情報、各編成単位に割り当てる編成コードの情報（編成単位の位置とその位置に配置される編成コードの情報）などがある。以下、これら編地の編成に係る情報を編成情報と呼ぶ。
【００５５】
ここで、編地の編成単位は、編地における編目一つ分に対応するものである。また、各編成単位に割り当てられる編成コードは、横編機に行わせる編成動作を、例えば色や数字、図形あるいはこれらの組み合わせにより表現したものである。例えば、赤色（緑色）で表される編成コードは、表目（裏目）を横編機に編成させる編成コードというように規定される。もちろん、一つの編成コードで複数の編成動作が規定されていても良く、縄柄の編成に関する編成コードはその典型例である。例えば赤紫および青紫で表される編成コードをそれぞれ、縄柄の表側に配置される部分（図１，２の第一編目列１）および裏側に配置される部分（第二編目列２）を横編機に編成させる編成コードとすることができる。第一編目列１を規定する編成コード（以下、第一編成コード）と、第二編目列２を規定する編成コード（以下、第二編成コード）とは、必ず対で用いられる。これらの編成コードは、後述するメモリ３０に記憶されている。
【００５６】
≪自動処理部≫
自動処理部２０は、編地の編成プログラムの作成を行うものであって、例えばコンピュータで構成することができる。この自動処理部２０は、ユーザーが入力した編成情報のうち、縄柄の編成に関連する縄柄関連情報に基づいて、縄柄の編成条件を決定する編成条件決定部２１と、編成条件決定部２１で決定した編成条件に基づいて編成プログラムを作成する編成プログラム作成部２９と、を備える。編成条件決定部２１が編成条件の決定に用いる縄柄関連情報には、縄柄の編成を規定する編成コードの情報、その編成コードが配置される位置の情報、および縄柄を構成する編糸の種類の情報などが含まれる。
【００５７】
［編成条件決定部］
編成条件決定部２１は、縄柄関連情報に基づいて、本発明の縄柄の編成方法を実施するための編成条件、即ち上述した編成プログラムの各ステップの編成条件を決定する。決定すべき編成条件として、例えば、次の５つを挙げることができる。
（１）…ステップ１における第一編目列１の１回の移動距離。
（２）…ステップ１における第一編目列１の移動と編成を繰り返す回数。
（３）…ステップ２における第一編目列１のグループ分けの仕方（一側グループｇ１と他側グループｇ２とをそれぞれ何個の編目で構成するか）。
（４）…ステップ２における空針の形成箇所。
（５）…ステップ４における第一編目列１と第二編目列２の編目の混在を解消するための第一編目列１と第二編目列２の移動パターン。
【００５８】
本例の編地のデザインシステム１００では、上記（１）〜（５）の編成条件がそれぞれ複数用意されており、それら編成条件は後述するメモリ３０に記憶されている。各編成条件は、編糸の種類や、第一編目列１および第二編目列２を構成する編目の数（即ち、縄柄関連情報）に応じて予め設定されている。例えば、両編目列１，２の編目数がそれぞれ四個の場合の編成条件は“Ｘ”、両編目列１，２の編目数がそれぞれ五個の場合の編成条件は“Ｙ”といったように、縄柄関連情報の変化に応じた複数の編成条件が予め設定されている。つまり、本例の編成条件決定部２１は、縄柄関連情報を参照し、複数の編成条件の中から、縄柄関連情報に対応する編成条件を選択する構成となっている。
【００５９】
［編成プログラム作成部］
編成プログラム作成部２９は、ユーザーが入力した編成情報に基づいて、実際の編針の動作や編糸の繰り出し手順などを設定した編成プログラムを作成する。編成プログラム作成部２９で作成された編成プログラムは、磁気ディスクなどの記録媒体や、有線、無線などを介して横編機へ送られる。
【００６０】
≪メモリ≫
メモリ３０は、ユーザーが入力した編成情報（縄柄関連情報を含む）と、編成条件決定部２１が参照する編成条件を記憶するハードディスクなどの記憶媒体である。もちろん、メモリ３０は、編地のデザインに関係するその他の情報、例えばユーザーが編成単位に割り当てる編成コードなどを記憶することができる。
【００６１】
≪表示部≫
表示部４０は、編地のデザインに関する情報を視覚的に把握するためのものであって、特に限定されない。表示部４０としては、例えば液晶ディスプレイなどを挙げることができる。表示部４０としてタッチパネルを利用すれば、表示部４０に入力部１０の役割の一部を担わせることができる。
【００６２】
≪縄柄の編成プログラムの作成手順≫
以上の構成を備える編地のデザインシステム１００によって編成プログラムを作成する手順を説明する。まず、ユーザーは、入力部１０を介して、複数の編成単位からなる型紙に編成コードを配置する。その際、縄柄の編成に関する編成コードが編地の編成単位に配置された場合、編地のデザインシステム１００は、その縄柄に関する編成コードが配置された位置に基づいて、縄柄の編成プログラムを作成する。
【００６３】
自動処理部２０はまず、編幅方向に連続して並ぶ第一編成コードの数と、編幅方向に連続して並ぶ第二編成コードの数の大きい方が３つ以下かどうかを判断する。大きい方が３つ以下であれば、自動処理部２０の編成プログラム作成部２９は、第一編目列１の位置と第二編目列２の位置とを一度に位置を入れ換える従来の縄柄の編成方法を含む編成プログラムを作成する。
【００６４】
連続する第一編成コード（第二編成コード）の数が４つ以上であれば、自動処理部２０の編成条件決定部２１は、縄柄関連情報を参照し、メモリ３０に記憶される複数の編成条件の中からその参照結果に応じた編成条件（１）〜（５）を決定する。例えば、第一編目列１の１回の移動距離に関する編成条件（１）は、編糸が弾性編糸か否かという情報に基づいて決定すれば良い。また、上述した編成条件（２）〜（５）は、編糸が弾性編糸か否か、および各編目列１，２の編目の数が幾つか、という情報に基づいて決定すれば良い。
【００６５】
編成条件（１）〜（５）が決定すれば、編成プログラム作成部２９は、決定した編成条件（１）〜（５）を満たす縄柄の編成方法を横編機に実施させるための編成プログラムを作成する。
【符号の説明】
【００６６】
ｂ１  一側ベース部  ｂ２  他側ベース部
１  第一編目列  ２  第二編目列
３  渡り糸
８  給糸口
ｇ１  一側グループ  ｇ２  他側グループ  ４，５  混在領域
１００  編地のデザインシステム
１０  入力部
２０  自動処理部
２１  編成条件決定部  ２９  編成プログラム作成部
３０  メモリ
４０  表示部
【図１】
0005980273.tif 000002
【図２】
0005980273.tif 000003
【図３】
0005980273.tif 000004